(57)【要約】【課題】メモ類を、その大きさや厚さ、材質などを問わず、ディスプレイ装置の枠部周辺の任意の位置で起立状態で掲示しておくことができ、且つそれらのメモ類を容易に挿脱でき、しかも極めて安価に作製できるようにする。【解決手段】メモホルダー１０は、矩形状の背板部１２に対して、その隣り合う２辺を該背板部の第１の面に沿うように同じ向きに折り返してメモ支え部１４を形成し、該第１の面とは反対側となる背板部の第２の面の前記メモ支え部に対応する部分に、ディスプレイ装置の枠部への固着のための両面接着テープ１６を設けた構造とする。残りの２辺に、背板部の表裏で逆となるように別のメモ支え部と両面接着テープを設ける構造とすることもできる。【選択図】図１
2011218656.tif 000002
【特許請求の範囲】
【請求項１】
矩形状の背板部に対して、その隣り合う２辺を該背板部の第１の面に沿うように同じ向きに折り返してメモ支え部を形成し、該第１の面とは反対側となる背板部の第２の面の前記メモ支え部に対応する部分に、ディスプレイ装置の枠部への固着のための両面接着テープを設けたことを特徴とするメモホルダー。
【請求項２】
矩形状の背板部に対して、その隣り合う２辺を該背板部の第１の面に沿うように同じ向きに折り返して第１のメモ支え部を形成し、前記第１の面とは反対側となる背板部の第２の面の前記第１のメモ支え部に対応する部分に、ディスプレイ装置の枠部への固着のための両面接着テープを設けると共に、残りの隣り合う２辺を背板部の第２の面に沿うように同じ向きに折り返して第２のメモ支え部を形成し、背板部の第１の面の前記第２のメモ支え部に対応する部分にも、ディスプレイ装置の枠部への固着のための両面接着テープを設けたことを特徴とするメモホルダー。
【請求項３】
背板部とメモ支え部はプラスチック板で一体的に成形されており、隣接するメモ支え部が互いに重ならないようにメモ支え部の長さが背板部寸法よりも短く設定されている請求項１又は２記載のメモホルダー。
【発明の詳細な説明】
【技術分野】
【０００１】
本発明は、ディスプレイ装置の枠部に取り付けてメモ類を起立保持するためのメモホルダーに関し、更に詳しく述べると、矩形状の背板部に対して、その隣り合う２辺を該背板部の表側の面に沿うように折り返してメモ支え部を形成し、背板部の裏側の面には、前記メモ支え部に対応する部分に、ディスプレイ装置の枠部への固着のための両面接着テープを設けた構造のメモホルダーに関するものである。このメモホルダーは、その一辺に位置する両面接着テープでディスプレイ装置の枠部に固着した状態で使用するものであり、メモ類（例えば、メモ用紙やカレンダー、予定表、郵便葉書、写真、表示カードなどを含む様々な様式のシート類）を、例えばパーソナルコンピューター（以下、「パソコン」と略記する）のディスプレイ装置周辺で起立状態で掲示しておくのに有用な事務用品である。
【背景技術】
【０００２】
パソコンを使用する事務作業では、ディスプレイ装置における表示画面の近くに、各種のメモ用紙やカレンダー、予定表、写真、あるいは返信を必要とする葉書などを掲示しておきたい場合も多い。勿論、ソフトウエアにより表示画面自体に、それら必要な情報を表示させておくことは可能であるが、メモや情報、用件、予定などを直接筆記具で書き込める点で、メモ類（紙）の利便性は高い。
【０００３】
そこで多くの場合、メモや情報、用件などは、粘着部を持つ付箋紙に書き込み、ディスプレイ装置の枠部各所に貼り付けておくことが行われているが、体裁が悪いし、剥がれて紛失する恐れもある。葉書や予定表、カレンダーなど、少し大きめで比較的厚い紙類は、ディスプレイ装置の枠部周辺には掲示し難い。接着テープで貼り付けることはできるが、貼り付け・取り外しが面倒であるし、やはり体裁が悪い。入力用のデーターシート（例えばＡ４版などの大きさの用紙）については、机上に載置してデーターシートを立て掛けるように用いるデータホルダが商品化されているが、高価であるし、常に机上面の一部を占有するため、データ入力以外の作業では邪魔になる。
【０００４】
このような用途に有用な事務用品として、本発明者は先に、メモ類が差し込まれることで該メモ類を起立保持すると共に前方側の重りとしての機能を有するメモ受けと、背後側の重りとしての機能を有する後方バランサと、それらメモ受けと後方バランサとの間を繋ぎディスプレイ装置の上部に載る屈曲自在の連結部とを具備している構造のメモスタンドを提案した（特許文献１）。
【０００５】
このメモスタンドは、連結部の一部がディスプレイ装置の上部に載り、メモ受けと後方バランサが前後振り分け方式で均衡静止する状態で使用するものであるため、着脱が容易であるという利点がある。反面、部品点数が多いし、金属などの部材を使用するため、コスト高となるほか、ディスプレイ装置の上部にしか載置できないという取り付け上の問題もある。
【先行技術文献】
【特許文献】
【０００６】
【特許文献１】特開２００８−２７９７４０号公報
【発明の概要】
【発明が解決しようとする課題】
【０００７】
本発明が解決しようとする課題は、メモ類を、その大きさや厚さ、材質などを問わず、ディスプレイ装置の枠部周辺の任意の位置で起立状態で掲示しておくことができ、且つそれらメモ類を容易に挿脱でき、しかも極めて安価に製作できるようにすることである。
【課題を解決するための手段】
【０００８】
本発明は、矩形状の背板部に対して、その隣り合う２辺を該背板部の第１の面に沿うように同じ向きに折り返してメモ支え部を形成し、該第１の面とは反対側となる背板部の第２の面の前記メモ支え部に対応する部分に、ディスプレイ装置の枠部への固着のための両面接着テープを設けたことを特徴とするメモホルダーである。
【０００９】
また本発明は、矩形状の背板部に対して、その隣り合う２辺を該背板部の第１の面に沿うように同じ向きに折り返して第１のメモ支え部を形成し、前記第１の面とは反対側となる背板部の第２の面の前記第１のメモ支え部に対応する部分に、ディスプレイ装置の枠部への固着のための両面接着テープを設けると共に、残りの隣り合う２辺を背板部の第２の面に沿うように同じ向きに折り返して第２のメモ支え部を形成し、背板部の第１の面の前記第２のメモ支え部に対応する部分にも、ディスプレイ装置の枠部への固着のための両面接着テープを設けたことを特徴とするメモホルダーである。
【００１０】
ここで、背板部とメモ支え部を薄いプラスチック板で一体的に成形し、隣接するメモ支え部が互いに重ならないようにメモ支え部の長さが背板部寸法よりも短く設定した構造とするのが好ましい。
【００１１】
なお、本発明において「メモ類」とは、大きさ、厚み、紙や樹脂シートなどの材質、枚数、綴じられているか否か、印刷物であるか否か、表示されている情報の種類、などを問わず、一般にシート状もしくは板状と見なせるものの総称というような広い意味で用いている。また、本発明における「ディスプレイ装置」は、主にデスクトップ型パソコンのディスプレイ装置を意図しているが、必ずしもそれに限られるものではない。
【発明の効果】
【００１２】
本発明のメモホルダーは、背板部の隣り合う２辺に両面接着テープが設けられているので、それらのいずれか一方の保護紙を剥がすことで接着面を露出させ、ディスプレイ装置の左右いずれでも枠部の任意の位置に容易に取り付けることができる。その際、下辺と一側辺に折り返したメモ支え部が位置するため、それらを利用してメモ類を起立保持することができる。メモ類は、その下辺と一側辺とで支えられるため、背板部よりも大きくても（背板部からはみ出しても）よいし、コピー用紙１枚でも、自立保持できる。また、本発明のメモホルダーでは、背板部の隣り合う２辺に折り返し形状のメモ支え部が形成されているので、縦方向にも横方向にも剛な構造となり、薄いプラスチック板で製作しても十分な機械的強度が保てる。更に、下辺（横方向）のみならず、側辺（縦方向）にもメモ支え部が設けられているため、載置したメモ類の横方向の位置規制がなされ、ずれてディスプレイ装置の画面を覆う恐れもないし、画面とメモ類とで視線を大きく動かす必要もないので、パソコン操作の作業性は極めて良好なものとなる。
【００１３】
また本発明のメモホルダーにおいて、矩形状の背板部に対して、その隣り合う２辺を該背板部の第１の面に沿うように同じ向きに折り返して第１のメモ支え部を形成し、残りの隣り合う２辺を背板部の第２の面に沿うように同じ向きに折り返して第２のメモ支え部を形成し、各メモ支え部とは反対側の面に両面接着テープを設けると、表裏両面での使用が可能となるため、背板部が長方形の場合であっても、ディスプレイ装置の枠部に取り付けるときに、表裏反転させるだけで、左右両側共に縦長状態、あるいは左右両側共に横長状態とすることができる。そのため、取り付けの自由度が増し、使い勝手が極めて良好となる。
【図面の簡単な説明】
【００１４】
【図１】本発明に係るメモホルダーの一実施例を示す斜視図。
【図２】その使用状態の説明図。
【図３】本発明に係るメモホルダーの他の実施例を示す斜視図。
【図４】その使用状態の説明図。
【発明を実施するための形態】
【００１５】
本発明のメモホルダーは、矩形状の背板部に対して、その隣り合う２辺を該背板部の一方の面に沿うように同じ向きに折り返してメモ支え部を形成し、それとは反対側となる背板部の他方の面の前記メモ支え部に対応する部分に、ディスプレイ装置の枠部への固着のための両面接着テープを設けたものである。２辺のうちの一方の両面接着テープによってディスプレイ装置の枠部に固着する。そして、２辺に位置するメモ支え部にメモ類を挿入することで、該メモ類を起立状態で保持することができる。
【実施例】
【００１６】
＜実施例１＞
本発明に係るメモホルダーの一実施例を図１に示す。Ａは斜視図であり、Ｂは側面図である。このメモホルダー１０は、矩形状の背板部１２に対して、その隣り合う２辺を該背板部の第１の面（表側）に沿うように同じ向きに折り返してメモ支え部１４を形成し、該第１の面とは反対側となる背板部１２の第２の面（裏側）の前記メモ支え部１４に対応する部分に、ディスプレイ装置の枠部への固着のための両面接着テープ１６を設けた構造である。
【００１７】
ここで、背板部１２の形状やメモ支え部１４の形成位置などは自由に設定できる。この図１の例では、背板部１２を長方形状とし、メモ支え部１４は、背板部１２を縦長として表側から見たとき、下の短辺と左の長辺に配置している。勿論、下の短辺と右の長辺に配置してもよい。
【００１８】
背板部１２とメモ支え部１４は、薄いプラスチック板を打ち抜いて折り曲げ加工することで一体的に成形できる。使用する材料は、例えば、厚さ０．２〜０．６ｍｍ程度の透明なＰＥＴ樹脂製などでよい。背板部１２の大きさは任意であるが、例えばＡ４版のコピー用紙などを起立保持することを想定すると、その８０％程度の大きさでよい。折り返したメモ支え部１４は、幅５〜１５ｍｍ程度あればよく、長さは隣り合うメモ支え部同士が干渉しないように隣のメモ支え部の幅程度の長さ分だけ短くする。背板部とメモ支え部との間隔は、通常、１〜３ｍｍ程度でよい。メモ支え部は連続していなくてもよいが、連続している方が形状が単純となり好ましい。なお、背板部及びメモ支え部の角部は、使用者の安全を考慮して丸味をもたせるのが好ましい。
【００１９】
両面接着テープ１６は、中間層のベース材の表裏両面に接着層を設けたものであり、メモ支え部１４と同程度の幅と長さで背板部１２の裏側に貼り付ける。商品として販売する際には、接着面が露出しないように、保護紙で覆っておくことは言うまでもない。中間層のベース材は、紙やフィルムでもよいし、スポンジなどの若干厚手の弾力性のあるものでもよい。
【００２０】
このようなメモホルダー１０は、背板部１２の隣り合う２辺に折り返し形状のメモ支え部１４が形成されているので、薄いプラスチック板で製作されていても、縦方向にも横方向にも剛な構造となり、十分な機械的強度を保つことができる。
【００２１】
このようなメモホルダーの使用状態の例を図２に示す。図１に示す形状のメモホルダー１０では、Ａのように、ディスプレイ装置１８の枠部左側に取り付ける場合には、横長の向きとなる。短辺側の両面接着テープの保護紙を剥がして接着面を露出させ、ディスプレイ装置１８の枠部左側に固着する。Ｂのように、ディスプレイ装置１８の枠部右側に取り付ける場合には、縦長の向きとなる。長辺側の両面接着テープの保護紙を剥がし接着面を露出させ、ディスプレイ装置１８の枠部右側に固着する。使用しない方の両面接着テープの保護紙は、そのまま残しておく。勿論、必要に応じて、同一もしくは異なる大きさのメモホルダー１０を、ディスプレイ装置１８の枠部の上部にも取り付けることもできる（図２のＢ参照）。
【００２２】
本発明のメモホルダーは、ディスプレイ装置の枠部に取り付けた際、下辺と一側辺に折り返したメモ支え部が位置するため、それらを利用してメモ類を起立保持することができる。メモ類（符号ｍで示す）は、その下辺と一側辺とで支えられるため、背板部よりも大きくても（背板部からはみ出しても）よいし、コピー用紙１枚でも、自立保持できる。
【００２３】
また、側辺（縦方向）にもメモ支え部が設けられているため、載置したメモ類の横方向の位置規制がなされ、ずれてディスプレイ装置の画面を覆うこともないし、表示画面とメモ類とで視線を大きく動かす必要もないので、パソコン操作の作業性は極めて良好なものとなる。
【００２４】
ところで、この実施例１のメモホルダーでは、ディスプレイ装置の枠部左側に取り付ける場合には横長の向きに、枠部右側に取り付ける場合には縦長の向きとなる。逆に、ディスプレイ装置の枠部左側に取り付ける場合に縦長の向き、枠部右側に取り付ける場合に横長の向きとしたい場合には、背板部を縦長として表側から見たとき、メモ支え部を、下の短辺と右の長辺に配置したメモホルダーが必要となる。このことから分かるように、様々な取り付け態様に対応しようとすると、長辺と短辺のメモ支え部の位置関係が異なる２種類のメモホルダーが必要となる。そのため、販売形態としては、２種１組でパッケージングすることも考えられる。勿論、背板部がほぼ正方形の場合には、１種類のみで十分である。
【００２５】
＜実施例２＞
この点を改良し、１種類で様々な取り付け形態に対応できるように工夫したのが実施例２のメモホルダーである。基本的な構成は、前記実施例１と同様であってよいので、説明を簡略化するため重複する説明は省略する。
【００２６】
実施例２のメモホルダーを図３に示す。Ａは斜視図であり、Ｂは側面図である。このメモホルダー２０は、矩形状の背板部２２に対して、その隣り合う２辺を該背板部の第１の面（例えば、これを仮に表側とする）に沿うように同じ向きに折り返して第１のメモ支え部２４を形成し、前記第１の面とは反対側となる背板部２２の第２の面（これは裏側となる）の前記第１のメモ支え部２４に対応する部分に、ディスプレイ装置の枠部への固着のための両面接着テープ２６を設ける。ここまでは実施例１と同様である。実施例２では、更に、残りの隣り合う２辺を背板部の第２の面（これは裏側となる）に沿うように同じ向きに折り返して第２のメモ支え部３４を形成し、背板部の第１の面（これは表側となる）の前記第２のメモ支え部３４に対応する部分にも、ディスプレイ装置の枠部への固着のための両面接着テープ３６を設ける。
【００２７】
つまり、背板部の４辺にそれぞれメモ支え部を形成するが、長辺側と短辺側のそれぞれ一方は表側に、他方は裏側に形成するのである。当然のことながら、両面接着テープは、それぞれメモ支え部に対応して、背板部の反対側の面に設けることになる。ここで注意すべきことは、各メモ支え部の長さである。同じ向きに折り返すメモ支え部同士が干渉しないように考慮することは無論、ディスプレイ装置の枠部に取り付ける際に支障が生じないように考慮する必要がある。そのため、折り返したメモ支え部の長さは、両隣のメモ支え部の幅の合計程度以上の長さ分だけ短くし、両側にはメモ支え部が無い状態とする。
【００２８】
このようなメモホルダーの使用状態の例を図４に示す。Ａのように、ディスプレイ装置３８の枠部左側に取り付ける場合に縦長の向きとし、Ｂのように、ディスプレイ装置３８の枠部右側に取り付ける場合にも、縦長の向きとすることができる。Ａの場合に対してＢのようにするには、メモホルダー２０の表裏を反転させると共に上下を逆にすればよい。従って、このメモホルダーの場合、１種類で、ディスプレイ装置の枠部に対して、その右側でも左側でも、縦向きにも横向きにも取り付け可能となる。勿論、この場合にも、ディスプレイ装置の枠部の上部に取り付けることもできる。従って、この構造は、取り付けの自由度が極めて大きい利点がある。なお、起立保持した状態のメモ類を符号ｍで示す。
【００２９】
本発明のメモホルダーは、各種のメモ類を、１枚でも複数枚重ねても、大きさや厚みを問わず、ディスプレイ装置の周辺に簡単に掲示することができる。また、掲示していたメモ類を取り除くことも簡単に行える。そのため、デスクワークの作業性は極めて良好となる。なお、このメモホルダーは、ディスプレイ装置の枠部に固着するものであるので、デスクトップ型パソコンのディスプレイ装置が主な取り付け対象となるが、持ち運びの必要がない場合は、ノート型パソコンのディスプレイ部などにも同様に取り付けてもよい。
【符号の説明】
【００３０】
１０  メモホルダー
１２  背板部
１４  メモ支え部
１６  両面接着テープ
【図１】
2011218656.tif 000003
【図２】
2011218656.tif 000004
【図３】
2011218656.tif 000005
【図４】
2011218656.tif 000006